(57)【要約】      （修正有）【課題】液面位置の変動に左右されることなく液面の液体を効率よく吸引することができる浸漬型ポンプを提供する。【解決手段】液槽内に浸漬される本体部１２の下部に配置されポンプ駆動手段１５によって駆動される吸引手段２１が設けられた吸引部２０と、吸引部２０と排出流路３１を介して設けられた排出部３０と、液槽中に立設され内部に吸引部２０と連通する取込流路４５を有するとともに、取込流路４５の上部から下部へ一定長さｓで形成された取込溝部４６を有する取込筒部４０と、液槽内の液面位置Ｗの変動によって上下動する浮部材５０と、取込溝部４６の長さｓより短くかつ浮部材５０より一定高さｔ低い位置で連結され、該浮部材５０の上下動にともなって取込筒部４０に沿って昇降し、該取込筒部４０に形成された取込溝部４６から取込流路４５への液体の流入を遮断する溝遮断部６１を有する昇降部材６０とを有する。【選択図】図１
0003163623.tif 000002
【実用新案登録請求の範囲】
【請求項１】
液槽内に浸漬して液体を吸引し外部へ排出する浸漬型ポンプであって、
液槽内に浸漬される本体部とポンプ駆動手段を備えたポンプ本体と、
前記本体部の下部に配置され前記ポンプ駆動手段によって駆動される吸引手段が設けられた吸引部と、
前記吸引部と排出流路を介して設けられた排出部と、
前記液槽中に立設され内部に前記吸引部と連通する取込流路を有するとともに、前記取込流路の上部から下部へ一定長さ（ｓ）で形成された取込溝部を有する取込筒部と、
前記液槽内の液面位置の変動によって上下動する浮部材と、
前記取込溝部の長さ（ｓ）より短くかつ前記浮部材より一定高さ（ｔ）低い位置で連結され、該浮部材の上下動にともなって前記取込筒部に沿って昇降し、該取込筒部に形成された前記取込溝部から取込流路への液体の流入を遮断する溝遮断部を有する昇降部材
とを有することを特徴とする浸漬型ポンプ。
【請求項２】
前記昇降部材が前記取込筒部の外面を摺動する筒状昇降部材である請求項１に記載の浸漬型ポンプ。
【請求項３】
前記吸引部に水中吸引部を有する請求項１又は２に記載の浸漬型ポンプ。
【考案の詳細な説明】
【技術分野】
【０００１】
本考案は、液槽内に浸漬して液体を吸引し外部へ排出する浸漬型ポンプに関する。
【背景技術】
【０００２】
一般に、クーラント液等の液体が供給された液槽では、液面や液槽底部にゴミや油等の異物が集まることがあり、ポンプを用いて液体とともに不純物を吸引して外部へ排出して液体の清浄度が保たれている。
【０００３】
液槽の清浄度を保つためのポンプとしては、液槽内に浸漬して液体を吸引し外部へ排出する浸漬型ポンプがある。この浸漬型ポンプでは、液体を吸引する際にエアが混入すると故障等の原因となるため、吸引部を液中に浸漬させて液槽底部の液体を吸引し液面の液体は吸引できなかった。そのため、液面の液体を吸引するためには、液面専用の他のポンプを併用する必要があった。
【０００４】
そこで、液槽底部と液面の双方の液体を吸引可能とするために、吸引部を上端にＶ字状の切欠溝が形成された筒状のケーシングで取り囲むように構成した浸漬型ポンプが知られている（例えば、特許文献１参照。）。当該浸漬型ポンプでは、吸引部によって液槽底部の液体を吸引する一方、吸引部の吸引力によってケーシング内部の液体を吸引することにより切欠溝から液槽の液体を吸引するため、切欠溝が形成されたケーシング上端付近の液体、すなわち、液面の液体も吸引することができる。
【０００５】
しかしながら、上記浸漬型ポンプでは、液面が切欠溝の下部側に位置する場合には液面の液体を効率よく吸引することができるものの、液面が切欠溝の上部側に位置するほど切欠溝の下部側から液中の液体が多く吸引されて、液面の液体を十分に吸引することが困難となり、異物の吸引効率が低下する問題があった。
【先行技術文献】
【特許文献】
【０００６】
【特許文献１】特開２００８−１１５８１６号公報
【考案の概要】
【考案が解決しようとする課題】
【０００７】
本考案は前記の点に鑑みなされたものであり、液面位置の変動に左右されることなく液面の液体を効率よく吸引することができる浸漬型ポンプを提供するものである。
【課題を解決するための手段】
【０００８】
すなわち、請求項１の考案は、液槽内に浸漬して液体を吸引し外部へ排出する浸漬型ポンプであって、液槽内に浸漬される本体部とポンプ駆動手段を備えたポンプ本体と、前記本体部の下部に配置され前記ポンプ駆動手段によって駆動される吸引手段が設けられた吸引部と、前記吸引部と排出流路を介して設けられた排出部と、前記液槽中に立設され内部に前記吸引部と連通する取込流路を有するとともに、前記取込流路の上部から下部へ一定長さ（ｓ）で形成された取込溝部を有する取込筒部と、前記液槽内の液面位置の変動によって上下動する浮部材と、前記取込溝部の長さ（ｓ）より短くかつ前記浮部材より一定高さ（ｔ）低い位置で連結され、該浮部材の上下動にともなって前記取込筒部に沿って昇降し、該取込筒部に形成された前記取込溝部から取込流路への液体の流入を遮断する溝遮断部を有する昇降部材とを有することを特徴とする浸漬型ポンプに係る。
【０００９】
請求項２の考案は、前記昇降部材が前記取込筒部の外面を摺動する筒状昇降部材である請求項１に記載の浸漬型ポンプに係る。
【００１０】
請求項３の考案は、前記吸引部に水中吸引部を有する請求項１又は２に記載の浸漬型ポンプに係る。
【考案の効果】
【００１１】
請求項１の考案に係る浸漬型ポンプは、液槽内に浸漬して液体を吸引し外部へ排出する浸漬型ポンプであって、液槽内に浸漬される本体部とポンプ駆動手段を備えたポンプ本体と、前記本体部の下部に配置され前記ポンプ駆動手段によって駆動される吸引手段が設けられた吸引部と、前記吸引部と排出流路を介して設けられた排出部と、前記液槽中に立設され内部に前記吸引部と連通する取込流路を有するとともに、前記取込流路の上部から下部へ一定長さ（ｓ）で形成された取込溝部を有する取込筒部と、前記液槽内の液面位置の変動によって上下動する浮部材と、前記取込溝部の長さ（ｓ）より短くかつ前記浮部材より一定高さ（ｔ）低い位置で連結され、該浮部材の上下動にともなって前記取込筒部に沿って昇降し、該取込筒部に形成された前記取込溝部から取込流路への液体の流入を遮断する溝遮断部を有する昇降部材とを有するため、液面位置の変動に左右されることなく液面の液体を効率よく吸引することができる。
【００１２】
請求項２の考案は、請求項１において、前記昇降部材が前記取込筒部の外面を摺動する筒状昇降部材であるため、取込溝部から取込流路への液体の流入をより効果的に遮断することができる。
【００１３】
請求項３の考案は、請求項１又は２において、前記吸引部に水中吸引部を有するため、液槽内部の液体を効果的に吸引することができる。
【図面の簡単な説明】
【００１４】
【図１】本考案の一実施例に係る浸漬型ポンプの側面側要部断面図である。
【図２】図１の浸漬型ポンプの正面側要部断面図である。
【図３】図１のＡ−Ａ断面図である。
【図４】取込筒部と浮部材に連結された昇降部材との概略斜視図である。
【考案を実施するための形態】
【００１５】
図１〜図３に示す本考案の一実施例に係る浸漬型ポンプ１０は、液槽１内に浸漬して液体を吸引し外部へ排出するものであって、ポンプ本体１１と、吸引部２０と、排出部３０と、取込筒部４０と、浮部材５０と、昇降部材６０とを有する。図１，２において、符号Ｗは液槽１内の液体の液面位置、Ｗａは液面位置Ｗ以外の位置（図の例では液面位置Ｗより高い位置）に変動した他の液面位置を表す。
【００１６】
ポンプ本体１１は、液槽１内に浸漬される本体部１２とポンプ駆動手段１５を備える。駆動手段１５は、公知のモータである。図において、符号１３は本体部１２を取り囲むように設けられた隔壁部を表す。
【００１７】
吸引部２０は、本体部１２の下部に配置され、ポンプ駆動手段１５によって駆動される吸引手段２１が設けられる。吸引手段２１としては、従来公知の羽根車が好適に使用され、軸部材２２を介してポンプ駆動手段１５により回転駆動される。図において、符号２３は吸引部２０に形成された上側開口部、２４は吸引部２０に形成された下側開口部である。
【００１８】
排出部３０は、吸引部２０と排出流路３１を介して設けられ、図示しない外部の処理部等に接続されて、吸引手段２１により吸引された液体を排出する。
【００１９】
取込筒部４０は、図１，２，４に示すように、液槽中１に立設され内部に吸引部２０と連通する取込流路４５を有するとともに、取込流路４５の上部から下部へ一定長さｓで形成された取込溝部４６を有する。実施例の取込筒部４０は、図１〜図３に示すように、吸引部２０の底部に取り付けられる底部材４２に所定長さを有する複数（図の例では４つ）の筒本体部材４１が立設されてなる。筒本体部材４１の長さは、取込溝部４６から液体を吸引した際に混入するエアが抜けるだけの十分な長さがあればよく、例えば、２００〜３００ｍｍである。
【００２０】
取込流路４５は、筒本体部材４１内部に形成された筒部流路４５Ａと、底部材４２内部に形成されて吸引部と連通する底部流路４５Ｂからなる。なお、図１，２において、符号４４は供給部２０の下側開口部２４を介して供給部２０と取込流路４５（底部流路４５Ｂ）とを連通するための連通開口部である。
【００２１】
取込溝部４６は、筒本体部材４１の一部を上部から下部へ切り欠いて形成された溝部である。取込溝部４６の長さｓは、筒部流路４５Ａの長さより短ければ特に限定されないが、筒部流路４５Ａ（筒本体部材４１）の長さの略半分程度であることが好ましい。取込溝部４６の長さｓが筒部流路４５Ａ（筒本体部材４１）の長さの略半分より長い場合、取込溝部４６から液体を吸引した際に混入するエアが抜けきらない状態で吸引部２０に吸引される恐れがある。
【００２２】
浮部材５０は、図１，２，４に示すように、液槽１内の液面位置Ｗの変動によって上下動するように構成される。浮部材５０としては、液面位置Ｗ（Ｗａ）に浮揚可能な適宜の部材が使用される。なお、図１，２において、符号５０ａは液面位置Ｗａに変動した際の浮部材を表す。
【００２３】
昇降部材６０は、図１，２，４に示すように、取込溝部４６の長さｓより短くかつ浮部材５０より一定高さｔ低い位置で連結され、該浮部材５０の上下動にともなって取込筒部４０に沿って昇降し、該取込筒部４０に形成された取込溝部４６から取込流路４５への液体の流入を遮断する溝遮断部６１を有する。実施例において、一定高さｔは、図１，２に示すように、浮部材５０の中心位置から昇降部材６０の上端位置までの高さである。図において、符号６２は昇降部材６０と浮部材５０を連結する連結部材、６２ａは液面位置Ｗａに変動した際の連結部材である。
【００２４】
また、昇降部材６０は、溝遮断部６１により取込溝部４６から取込流路４５への液体の流入を遮断することが可能な構成であれば形状等は特に限定されないが、図４に示すように、取込筒部４０の外面を摺動する筒状昇降部材であることが好ましい。これにより、昇降部材６０が容易に位置決めされ、取込溝部４６から取込流路４５への液体の流入を効果的に遮断することができる。なお、筒状昇降部材の壁面部分が溝遮断部６１に相当する。
【００２５】
本考案の浸漬型ポンプ１０では、図１に示すように、吸引部２０に水中吸引部２５を設けてもよい。実施例の水中吸引部２５は、吸引部２０の上側開口部２３と、上側開口部２３近傍の隔壁部１３に複数形成された隔壁開口部１３Ａと、吸引部２０の下側開口部２４と、底部材４２の連通開口部４４と、下側開口部２４近傍の底部材４２下面側に複数形成された底部開口部４３とからなる。この水中吸引部２５にあっては、吸引手段２１が駆動することにより、上側開口部２３を介して隔壁部１３内の液体が吸引されるとともに、隔壁開口部１３Ａを介して液槽１内部（例えば、液槽１底部近傍）の液体が隔壁部１３内へ流入される一方、下側開口部２４及び連通開口部４４を介して底部流路４５Ｂ内の液体が吸引されるとともに、底部開口部４３を介して液槽１内部（例えば、液槽１底部近傍）の液体が隔壁部１３内へ流入される。液槽１内部の液体、特に液槽１底部の液体を効果的に吸引することができる。
【００２６】
次に、本考案の浸漬型ポンプ１０の作動について説明する。まず、浸漬型ポンプ１０では、液槽１の所定位置に設置され、図１，２に示すように、ポンプ本体１１の本体部１２が液中に浸漬される。
【００２７】
液槽１中の液面が液面位置Ｗである場合、浮部材５０は、中心位置が液面位置Ｗと重なるように浮揚する。一方、浮部材５０に連結された昇降部材６０は、その上端位置が浮部材５０より一定高さｔ低い位置、すなわち、液面位置Ｗより一定高さｔ低い位置に配置される。この時、取込筒部４０の取込溝部４６では、下端部から上部に長さｓ１の位置が液中に浸漬されているが、昇降部材６０の溝遮断部６１により下部の一部分を遮断されて、液面位置Ｗより一定高さｔだけが液中で開口した状態となっている。
【００２８】
そこで、駆動手段１５を駆動させて吸引手段２１により吸引を開始すると、連通開口部４４と連通する下側開口部２４を介して取込流路４５内の液体が吸引されて、取込溝部４６から取込流路４５内へ液槽１の液体が流入される。その際、前記のように、取込溝部４６が液面位置Ｗより一定高さｔだけ液中で開口しているため、液面付近の液体のみを効率よく取込流路４５内へ流入させることができる。
【００２９】
取込流路４５内へ流入された液体は、取込流路４５の筒部流路４５Ａを上部から下部に向かって流通する間にエアが抜けて、底部流路４５Ｂから連通開口部４４及び下側開口部２４を介して吸引部２０内へ吸引される。このようにして吸引された液面の液体は、吸引手段２１により吸引部２０から排出流路２１を介して排出部３０へ送出されて、外部へ排出される。
【００３０】
また、この浸漬型ポンプ１０では、吸引手段２１により液面の液体が吸引されると同時に、上側開口部２３を介して隔壁部１３内の液体が吸引されるとともに、隔壁開口部１３Ａを介して液槽１内部（例えば、液槽１底部近傍）の液体が隔壁部１３内へ流入される一方、下側開口部２４及び連通開口部４４を介して底部流路４５Ｂ内の液体が吸引されるとともに、底部開口部４３を介して液槽１内部（例えば、液槽１底部近傍）の液体が隔壁部１３内へ流入される。吸引された液槽１内部の液体は、前記液面の液体とともに吸引手段２１により吸引部２０から排出流路２１を介して排出部３０へ送出されて、外部へ排出される。
【００３１】
一方、液槽１中の液面が上昇、例えば液面位置Ｗからより高い液面位置Ｗ１に変動した場合、浮部材５０ａは、液面の上昇に伴い、中心位置が液面位置Ｗ１と重なるように浮揚しながら上昇する。その際、昇降部材６０ａは、浮部材５０ａに連結されているため、液面位置Ｗ１と上端位置との位置関係が一定高さｔを維持したまま取込筒部４０に沿って上昇される。
【００３２】
ここで、取込筒部４０の取込溝部４６は、液面が変動したことにより下端部から上部に長さｓ２の位置が液中に浸漬されるが、上記のように、昇降部材６０ａが液面位置Ｗ１より一定高さｔを維持したまま取込筒部４０に沿って上昇しているため、昇降部材６０の溝遮断部６１により遮断される部分も上昇し、液面が上昇する前と同様に液面位置Ｗ１より一定高さｔだけが液中で開口した状態となる。
【００３３】
従って、吸引手段２１により吸引を開始すれば、液面が上昇する前と同様に液面位置Ｗより一定高さｔだけ液中で開口した取込溝部４６から液面付近の液体のみを効率よく取込流路４５内へ流入させることができる。また、同時に、液槽１内部（例えば、液槽１底部近傍）の液体が吸引されて、液面の液体とともに排出部３０から外部へ排出されることはいうまでもない。
【００３４】
さらに、液槽１中の液面が下降、例えば液面位置Ｗ１からより低い液面位置Ｗに変動した場合、浮部材５０は、液面の下降に伴い、中心位置が液面位置Ｗと重なるように浮揚しながら下降する。その際、昇降部材６０は、浮部材５０に連結されているため、液面位置Ｗと上端位置との位置関係が一定高さｔを維持したまま取込筒部４０に沿って下降される。このように、液面が下降した場合であっても、液面が下降する前と同様に取込筒部４０の取込溝部４６は液面位置Ｗ１より一定高さｔだけが液中で開口した状態となるため、液面付近の液体のみを効率よく取込流路４５内へ流入させることができる。
【００３５】
以上図示し説明したように、本考案の浸漬型ポンプでは、液槽１内の液面位置Ｗの変動によって上下動する浮部材５０と一定高さｔ低い位置で連結された昇降部材６０が、浮部材５０の上下動にともなって取込筒部４０に沿って昇降して取込筒部４０に形成された取込溝部４６から取込流路４５への液体の流入を遮断することにより、液面位置Ｗが変動した場合であっても液中での取込溝部４６の開口量が常に一定高さｔに維持される。そのため、吸引手段２１によって吸引する際には、液面位置Ｗの変動に左右されることなく必要な液面付近の液体を常に一定量吸引することが可能となり、不要な液中の液体を吸引することを防止することができて液面の液体の吸引効率が向上する。
【００３６】
なお、本考案の浸漬型ポンプは、前述の実施例のみに限定されるものではなく、考案の趣旨を逸脱しない範囲において構成の一部を適宜に変更して実施することができる。例えば、実施例では、取込筒部を吸引部の底部に取り付けられる底部材に複数の筒本体部材を立設させて構成したが、筒本体部材を吸引部上部に立設させて取込流路を吸引部と連通させるように構成してもよい。
【００３７】
また、昇降部材を筒状昇降部材として構成したが、取込筒部の形状に沿って湾曲した取込溝部を遮断可能な板状部材としてもよい。
【００３８】
さらに、実施例では、水中吸引部として隔壁部に隔壁開口部を設けるとともに底部材に底部開口部を設けたが、用途に応じて隔壁開口部または底部開口部のいずれか一方のみを設けるようにしてもよい。
【符号の説明】
【００３９】
１      液槽
１０    浸漬型ポンプ
１１    ポンプ本体
１２    本体部
１５    ポンプ駆動手段
２０    吸引部
２１    吸引手段
３０    排出部
３１    排出流路
４０    取込筒部
４５    取込流路
４６    取込溝部
５０    浮部材
６０    昇降部材
６１    溝遮断部
Ｗ      液面位置
【図１】
0003163623.tif 000003
【図２】
0003163623.tif 000004
【図３】
0003163623.tif 000005
【図４】
0003163623.tif 000006